(57)【要約】【課題】棚部の下部に設けられた吐水部を引き出せるようにしつつ、高いデザイン性を得ることができる水栓装置を提供する。【解決手段】ボウル部よりも上方に延びる壁面に設けられる水栓装置であって、水を吐水する吐水口を有する吐水部と、前記吐水部に前記水を供給する可撓性を有するホースと、前記壁面から前方に突出するように設けられる棚部と、を備え、前記棚部は、下方を向く底面と、前記底面から上方に向かって凹み、前記吐水部を収納するための収納部と、を有し、前記収納部は、少なくとも前方及び側方に壁部を有し、前記吐水部は、前記収納部に収納された状態で保持されるとともに、前記収納部から引き出し可能であることを特徴とする水栓装置である。【選択図】図１
2019148091.tif 000002
【特許請求の範囲】
【請求項１】
ボウル部よりも上方に延びる壁面に設けられる水栓装置であって、
水を吐水する吐水口を有する吐水部と、
前記吐水部に前記水を供給する可撓性を有するホースと、
前記壁面から前方に突出するように設けられる棚部と、
を備え、
前記棚部は、下方を向く底面と、前記底面から上方に向かって凹み、前記吐水部を収納するための収納部と、を有し、
前記収納部は、少なくとも前方及び側方に壁部を有し、
前記吐水部は、前記収納部に収納された状態で保持されるとともに、前記収納部から引き出し可能であることを特徴とする水栓装置。
【請求項２】
前記吐水部は、前記収納部に収納された状態において前記収納部から下方に突出する突出部を有し、
前記棚部の前記底面は、前記吐水部の前記突出部の周囲の少なくとも一部において、前記収納部の下縁を上方に凹ませる凹部を有することを特徴とする請求項１記載の水栓装置。
【請求項３】
前記棚部は、前面をさらに有し、
前記前面は、前記棚部の上部に設けられ、鉛直面又は後方に向かって上昇傾斜した傾斜面であり、
前記底面は、前記前面の下端よりも下方に位置する凸部を有し、
前記収納部は、前方から見て前記前面と重なる位置まで凹むように設けられていることを特徴とする請求項１又は２に記載の水栓装置。
【発明の詳細な説明】
【技術分野】
【０００１】
本発明の態様は、一般的に、水栓装置に関する。
【背景技術】
【０００２】
壁面から前方に突出して設けられる棚部と、棚部の下部に設けられ、棚部の下方に向けて水を吐水する吐水部と、を備え、吐水部の少なくとも一部を棚部内に収容した水栓装置が知られている（例えば、特許文献１）。このような水栓装置では、吐水部の全体を使用者から見えなくすることができ、水栓装置のデザイン性を向上させることができる。
【０００３】
また、棚部の上面に小物を置くことができるため、例えば、洗顔の際などに、使用者が眼鏡や化粧品などの小物を棚部の上面に置くことができ、使用者の使い勝手を向上させることもできる。さらに、特許文献１では、棚部が上下２分割されており、吐水部を取り外さずに棚部を取り外すことができるため、メンテナンス性を向上させることもできる。
【０００４】
例えば、洗面化粧台などに用いられる水栓装置では、ボウルなどの清掃のために吐水部を本体部分から引き出して使えるようにする、いわゆるプルアウト式とすることが行われている。しかしながら、特許文献１のような水栓装置では、吐水部を棚部の内部に配置しつつ、吐水部を取り外さずに棚部を取り外すことができるように棚部を構成しているため、ボウルなどの清掃のために吐水部をプルアウト式にしようとしても、棚部の下半分の部分が邪魔になり、吐水部をプルアウトさせることが難しい。
【０００５】
また、吐水部を棚部から突出させることで、プルアウトし易くしたとすると、吐水部が目立ち、デザイン性の低下を招いてしまう。また、吐水部を棚部の外部に配置しつつ、吐水部を取り外さずに棚部を取り外すことができるよう棚部を構成することも考えられるが、吐水部と棚部との一体感が損なわれてしまい、吐水部が目立ち、デザイン性の低下を招いてしまう。
【０００６】
このため、水栓装置では、棚部の下部に設けられた吐水部を引き出せるようにしつつ、高いデザイン性を得られるようにすることが望まれる。
【先行技術文献】
【特許文献】
【０００７】
【特許文献１】特開２００３−１８４１３９号公報
【発明の概要】
【発明が解決しようとする課題】
【０００８】
本発明は、かかる課題の認識に基づいてなされたものであり、棚部の下部に設けられた吐水部を引き出せるようにしつつ、高いデザイン性を得ることができる水栓装置を提供することを目的とする。
【課題を解決するための手段】
【０００９】
第１の発明は、ボウル部よりも上方に延びる壁面に設けられる水栓装置であって、水を吐水する吐水口を有する吐水部と、前記吐水部に前記水を供給する可撓性を有するホースと、前記壁面から前方に突出するように設けられる棚部と、を備え、前記棚部は、下方を向く底面と、前記底面から上方に向かって凹み、前記吐水部を収納するための収納部と、を有し、前記収納部は、少なくとも前方及び側方に壁部を有し、前記吐水部は、前記収納部に収納された状態で保持されるとともに、前記収納部から引き出し可能であることを特徴とする水栓装置である。
【００１０】
この水栓装置によれば、棚部の底面に少なくとも前方及び側方に壁部を有する収納部を設け、この収納部に吐水部を収納することで、吐水部の上方、前方、及び側方の少なくとも一部を覆い、吐水部の存在を目立たなくしつつ、吐水部を引き出す操作（プルアウト操作）も行うことができる。従って、デザイン性とプルアウト機能とを両立することができる。棚部の下部に設けられた吐水部を引き出せるようにしつつ、高いデザイン性を得ることができる水栓装置を提供することができる。
【００１１】
第２の発明は、第１の発明において、前記吐水部は、前記収納部に収納された状態において前記収納部から下方に突出する突出部を有し、前記棚部の前記底面は、前記吐水部の前記突出部の周囲の少なくとも一部において、前記収納部の下縁を上方に凹ませる凹部を有することを特徴とする水栓装置である。
【００１２】
使用者が吐水部を引き出すためには、収納部からの吐水部の突出量が大きい方が望ましい。しかしながら、吐水部の突出量が大きいと吐水部が目立ってしまい、デザイン性が損なわれてしまう。この水栓装置によれば、吐水部の突出部の周囲の少なくとも一部において、収納部の下縁を上方に凹ませる凹部を棚部の底面に設けることにより、突出部の底面からの突出量を抑えながらも、突出部の収納部の下縁からの突出量を大きくすることができ、使用者に突出部を掴みやすくさせることができる。すなわち、吐水部を収納部から引き出し易くすることができる。
【００１３】
第３の発明は、第１又は第２の発明において、前記棚部は、前面をさらに有し、前記前面は、前記棚部の上部に設けられ、鉛直面又は後方に向かって上昇傾斜した傾斜面であり、前記底面は、前記前面の下端よりも下方に位置する凸部を有し、前記収納部は、前方から見て前記前面と重なる位置まで凹むように設けられていることを特徴とする水栓装置である。
【００１４】
この水栓装置によれば、収納部が、前方から見て前面と重なる位置まで凹むように設けられているため、吐水部のプルアウト操作を可能にするとともに、棚部の上下方向の厚みを薄くしつつ、棚部によって吐水部を覆うことができ、よりデザイン性を向上させることができる。
【発明の効果】
【００１５】
本発明の態様によれば、棚部の下部に設けられた吐水部を引き出せるようにしつつ、高いデザイン性を得ることができる水栓装置が提供される。
【図面の簡単な説明】
【００１６】
【図１】実施形態に係る水栓装置を設置した洗面化粧台を模式的に表す斜視図である。
【図２】図２（ａ）及び図２（ｂ）は、実施形態に係る水栓装置を模式的に表す斜視図である。
【図３】実施形態に係る水栓装置を模式的に表す正面図である。
【図４】図４（ａ）及び図４（ｂ）は、実施形態に係る水栓装置を模式的に表す断面図である。
【図５】実施形態に係る棚部を模式的に表す断面図である。
【図６】図６（ａ）及び図６（ｂ）は、実施形態に係る水栓装置を模式的に表す断面図である。
【発明を実施するための形態】
【００１７】
以下、本発明の実施形態について図面を参照しつつ説明する。なお、各図面中、同様の構成要素には同一の符号を付して詳細な説明は適宜省略する。  
図１は、実施形態に係る水栓装置を設置した洗面化粧台を模式的に表す斜視図である。  図１に表したように、洗面化粧台１００は、洗面器１０２と、水栓装置１０と、支持台１０６と、ミラーキャビネット１０８と、照明装置１１０と、を備える。
【００１８】
なお、本願明細書では、水栓装置１０と向き合う使用者からみて手前側を「前方」とし、奥側を「後方」とし、上側を「上方」とし、下側を「下方」とし、右側を「右側方」とし、左側を「左側方」とする。
【００１９】
洗面器１０２は、ボウル部１２２と、バックガード部１２４と、を有する。ボウル部１２２は、下方に向かって凹んだ凹状に形成されている。ボウル部１２２は、排水口（不図示）を有する。排水口は、ボウル部１２２の底部に設けられる。排水口は、排水管に接続され、ボウル部１２２に吐出された水を排水管に流す。
【００２０】
バックガード部１２４は、ボウル部１２２の後端から上方に延びる。バックガード部１２４は、必要に応じて設けられ、省略可能である。洗面器１０２の形状は、少なくともボウル部１２２を有する任意の形状でよい。
【００２１】
洗面器１０２は、支持台１０６の上に設けられる。支持台１０６は、洗面器１０２を支持する。支持台１０６は、例えば、本体部１０６ａと、２つの引き出し１０６ｂ、１０６ｃと、を有する。各引き出し１０６ｂ、１０６ｃは、内部に物品を収納可能とする。
【００２２】
このように、支持台１０６は、物品を収納可能なキャビネットとしても機能する。支持台１０６は、換言すれば、下部キャビネット（フロアキャビネット）である。なお、引き出しの数は、２つに限ることなく、１つでもよいし、３つ以上でもよい。また、支持台１０６は、引き出し式のキャビネットに限ることなく、扉式のキャビネットでもよい。
【００２３】
支持台１０６は、必ずしも収納機能を有していなくてもよい。支持台１０６は、洗面器１０２を支持可能な任意の構成でよい。また、洗面器１０２は、例えば、洗面所などの壁面に直接取り付けてもよい。すなわち、支持台１０６は、必要に応じて設けられ、省略可能である。
【００２４】
水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐出する。本願明細書において、「前方」は、換言すれば、壁面ＷＳの向く方向である。
【００２５】
水栓装置１０の取付位置は、上記に限ることなく、例えば、洗面器１０２の後部上方に設けられる取付パネル（バックパネル）などに取り付けてもよいし、洗面所などの壁面に直接取り付けてもよい。水栓装置１０の取付位置は、ボウル部１２２内に水を吐出可能な任意の位置でよい。水栓装置１０の取付位置は、ボウル部１２２よりも上方に延びる任意の壁面ＷＳでよい。水栓装置１０の取付位置は、洗面器１０２の形状などに応じて適宜設定すればよい。
【００２６】
ミラーキャビネット１０８は、ボウル部１２２を有する洗面器１０２よりも上方に設置される。ミラーキャビネット１０８は、キャビネット本体１３０と、３枚の扉１３１〜１３３と、を有する。キャビネット本体１３０は、前方を開口させた略直方体の開口箱状であり、内部に物品を収納可能とする。また、各扉１３１〜１３３の前面には、鏡１３１ａ〜１３３ａが設けられている。なお、ミラーキャビネット１０８に設けられる扉及び鏡の数は、３枚に限ることなく、１枚又は２枚でもよいし、４枚以上でもよい。
【００２７】
照明装置１１０は、ミラーキャビネット１０８の上部に設けられている。照明装置１１０は、例えば、ミラーキャビネット１０８において各扉１３１〜１３３よりも上方に設けられる。照明装置１１０は、下方に向かって光を照射し、各扉１３１〜１３３（各鏡１３１ａ〜１３３ａ）、及びボウル部１２２を照らす。照明装置１１０は、ミラーキャビネット１０８の上部に限ることなく、ミラーキャビネット１０８の下部や側端部、内部に設けてもよい。
【００２８】
図２（ａ）及び図２（ｂ）は、実施形態に係る水栓装置を模式的に表す斜視図である。  図３は、実施形態に係る水栓装置を模式的に表す正面図である。  
図２（ａ）、図２（ｂ）、及び図３に表したように、水栓装置１０は、吐水部２０と、棚部３０と、ホース４０と、操作部５０と、を備える。
【００２９】
吐水部２０は、ボウル部１２２へ水を吐出する。吐水部２０は、いわゆるスパウトである。吐水部２０には、水を吐出する吐水口２２が設けられている。操作部５０は、吐水部２０から吐出される水の流量を調整する。また、操作部５０は、吐水部２０から吐出される水の温度を調整する。
【００３０】
操作部５０は、操作レバー５０ａを有する。操作部５０は、使用者による操作レバー５０ａの操作に応じて、吐水部２０から吐出される水の流量及び温度を調整する。操作レバー５０ａは、例えば、前後方向及び左右方向に揺動可能に上端部を操作部５０の本体部分に軸支される。例えば、操作レバー５０ａを前後方向に揺動させることにより、吐水部２０から吐出される水の流量が調整され、操作レバー５０ａを左右方向に揺動させることにより、吐水部２０から吐出される水の温度が調整される。操作部５０における流量及び温度の調整の態様は、操作レバー５０ａに限ることなく、流量及び温度を調整可能な任意の態様でよい。
【００３１】
吐水部２０は、操作部５０に設けられた湯水混合部などを介して支持台１０６の内部空間などに設けられた給水管及び給湯管に接続される。吐水部２０から吐出される水は、例えば、上水（水道水）である。吐水部２０から吐出される水の温度調整は、操作部５０とは別の調整部で行ってもよい。操作部５０は、少なくとも吐水部２０から吐出される水の流量を調整できればよい。
【００３２】
棚部３０は、壁面ＷＳから前方に突出するように設けられる。吐水部２０及び操作部５０は、棚部３０の下部に設けられる。吐水部２０は、棚部３０の下方に向けて水を吐出する。操作部５０の操作レバー５０ａは、棚部３０から下方に向かって延びる。棚部３０は、吐水部２０及び操作部５０の上方を覆う。
【００３３】
吐水部２０、棚部３０、及び操作部５０は、例えば、それぞれ個別に壁面ＷＳ（バックガード部１２４の前面）に取り付けられる。これにより、例えば、メンテナンスの際などに、吐水部２０及び操作部５０を壁面ＷＳに取り付けた状態のまま、棚部３０のみを壁面ＷＳから取り外すことができ、水栓装置１０のメンテナンス性を向上させることができる。但し、吐水部２０及び操作部５０は、棚部３０に取り付け、棚部３０を介して壁面ＷＳに取り付けてもよい。
【００３４】
ホース４０は、吐水部２０と接続され、吐水部２０に水を供給する。ホース４０は、可撓性を有する。ホース４０には、例えば、ゴムホースやフレキシブルメタルホースなどが用いられる。
【００３５】
図２（ｂ）に表したように、吐水部２０は、壁面ＷＳから引き出して使用することができる。吐水部２０は、いわゆるプルアウト機能を有する。これにより、吐水部２０をハンドシャワーとして用いることができ、ボウル部１２２の清掃などを行うことができる。
【００３６】
ホース４０は、例えば、吐水部２０が壁面ＷＳに取り付けられた状態においては、バックガード部１２４の裏側の空間に収納される。ホース４０の一端は、吐水部２０の後端に接続される。ホース４０の他端は、例えば、バックガード部１２４の裏側の空間を介して操作部５０と接続される。これにより、操作部５０の操作に応じた流量及び温度の水（お湯）が、吐水部２０から吐水される。
【００３７】
図４（ａ）及び図４（ｂ）は、実施形態に係る水栓装置を模式的に表す断面図である。  図４（ａ）及び図４（ｂ）は、図３のＡ１−Ａ２線断面を模式的に表す。  
図４（ａ）及び図４（ｂ）に表したように、棚部３０は、底面３２と、収納部３４と、を有する。底面３２は、棚部３０において、下方を向く面である。収納部３４は、底面３２から上方に向かって凹み、吐水部２０を収納するための凹部である。なお、図４（ｂ）では、便宜的に吐水部２０の図示を省略している。
【００３８】
水栓装置１０は、吐水部２０を着脱可能に保持する保持部２４を備える。保持部２４は、例えば、収納部３４内に配置され、収納部３４内において壁面ＷＳに取り付けられる。収納部３４は、前方に壁部３４ａを有するとともに、両側方に壁部３４ｂを有する。一方、収納部３４は、保持部２４を壁面ＷＳに取り付けるため、後方を開放させている。この例において、収納部３４は、下方及び後方を開放させた凹状である。
【００３９】
吐水部２０は、収納部３４に収納された状態で保持部２４に保持され、保持部２４を介して壁面ＷＳに取り付けられる。そして、吐水部２０は、保持部２４から取り外して手前側に引き、ホース４０をバックガード部１２４から引き出すことにより、収納部３４から引き出し可能である。
【００４０】
このように、吐水部２０を収納部３４に収納することにより、吐水部２０が壁面ＷＳに取り付けられた状態（保持部２４に保持された状態）において、吐水部２０を目立たなくすることができる。
【００４１】
収納部３４の左右方向の幅は、例えば、吐水部２０の左右方向の幅と略同一である。収納部３４の左右方向の幅と、吐水部２０の左右方向の幅と、の差は、例えば、１０ｍｍ以下である。これにより、吐水部２０が壁面ＷＳに取り付けられた状態において、吐水部２０をより目立たなくすることができる。
【００４２】
例えば、収納部３４の後方に壁部をさらに設け、この後方の壁部に保持部２４を取り付けてもよい。これにより、収納部３４に収納した状態で、保持部２４を介して吐水部２０を棚部３０に取り付けることができる。このように、収納部３４は、少なくとも前方及び側方に壁部３４ａ、３４ｂを有していればよく、必要に応じて後方にさらに壁部を有してもよい。
【００４３】
図５は、実施形態に係る棚部を模式的に表す断面図である。  
図５は、図４（ｂ）のＢ１−Ｂ２線断面を模式的に表す。  
図４（ａ）、図４（ｂ）、及び図５に表したように、吐水部２０は、収納部３４に収納された状態において、収納部３４から下方に突出する突出部２６を有する。突出部２６は、例えば、吐水部２０の吐水口２２を有する前端部分である。換言すれば、吐水口２２は、突出部２６に設けられている。
【００４４】
一方で、吐水部２０の後端部分、及び保持部２４は、収納部３４に収納された状態において、収納部３４よりも下方に突出しない。吐水部２０の後端部分、及び保持部２４は、収納部３４に収納された状態において、収納部３４の下縁３４ｃよりも上方に位置する。
【００４５】
棚部３０の底面３２は、吐水部２０の突出部２６の周囲の少なくとも一部において、収納部３４の下縁３４ｃを上方に凹ませる凹部３６を有する。凹部３６は、例えば、吐水部２０の前端部分に設けられた突出部２６の前方及び両側方に位置する。凹部３６は、例えば、突出部２６の前方及び両側方を円弧状（Ｃ字状）に囲む。棚部３０の底面３２は、例えば、吐水部２０の左右両側に配置された２つの凹部３６を有してもよい。棚部３０の底面３２は、複数の凹部３６を有してもよい。
【００４６】
棚部３０は、前面３８をさらに有する。前面３８は、棚部３０の上部に設けられる。この例において、前面３８は、略鉛直面である。換言すれば、前面３８は、前方を向く略垂直な面である。前面３８は、後方に向かって上昇傾斜した傾斜面でもよい。前面３８は、鉛直面又は後方に向かって上昇傾斜した傾斜面であればよい。
【００４７】
底面３２は、前面３８の下端３８ａよりも下方に位置する凸部３２ａを有する。この例においては、底面３２の略全体が、前面３８の下端３８ａよりも下方に位置している。すなわち、この例では、底面３２の略全体が、凸部３２ａである。底面３２は、例えば、前面３８の下端３８ａから後方に向かって下降傾斜する傾斜面状である。凸部３２ａは、底面３２の一部分が前面３８の下端３８ａよりも下方に位置したものでもよい。底面３２及び凸部３２ａの形状は、上記に限ることなく、任意の形状でよい。
【００４８】
収納部３４は、例えば、凸部３２ａに配置されている。収納部３４は、前方から見て前面３８と重なる位置まで凹むように設けられている。換言すれば、収納部３４の上端３４ｄ（天井面）は、前面３８の下端３８ａよりも上方に位置する。なお、収納部３４は、必ずしも凸部３２ａに配置されていなくてもよい。
【００４９】
また、吐水部２０は、収納部３４に収納された状態において、前方から見て前面３８と重なる位置に設けられる。換言すれば、吐水部２０の上端２０ａは、収納部３４に収納された状態において、前面３８の下端３８ａよりも上方に位置する。
【００５０】
図６（ａ）及び図６（ｂ）は、実施形態に係る水栓装置を模式的に表す断面図である。  図６（ａ）及び図６（ｂ）は、図４（ａ）及び図４（ｂ）と同様に、図３のＡ１−Ａ２線断面を模式的に表す。  
図６（ａ）及び図６（ｂ）に表したように、保持部２４は、本体部２４ａと、可動部２４ｂと、を有する。本体部２４ａは、壁面ＷＳ又は棚部３０に取り付けられる。可動部２４ｂは、吐水部２０を着脱可能に保持するとともに、保持した吐水部２０を収納部３４に収納する収納位置（図４（ａ）に表した位置）と、保持した吐水部２０を収納部３４から突出させる突出位置（図６（ａ）及び図６（ｂ）に表した位置）と、に回動可能に本体部２４ａに軸支されている。
【００５１】
本体部２４ａは、例えば、摩擦力やクリック機構などにより、吐水部２０及び可動部２４ｂを収納位置に保持可能であるとともに、吐水部２０及び可動部２４ｂを突出位置に保持可能である。
【００５２】
図６（ａ）に表したように、保持部２４は、突出位置において、保持した吐水部２０の上端２０ａの前端部を、収納部３４の前方の壁部３４ａの下端よりも下方に位置させる。これにより、吐水部２０を収納部３４に収納できるようにした場合にも、吐水部２０を保持部２４に着脱しやすくすることができる。換言すれば、吐水部２０を壁面ＷＳから引き出し易くすることができるとともに、吐水部２０を壁面ＷＳに取り付け易くすることができる。
【００５３】
以上、説明したように、本実施形態に係る水栓装置１０では、棚部３０の底面３２に少なくとも前方及び側方に壁部３４ａ、３４ｂを有する収納部３４を設け、この収納部３４に吐水部２０を収納することで、吐水部２０の上方、前方、及び側方の少なくとも一部を覆い、吐水部２０の存在を目立たなくしつつ、吐水部２０を引き出す操作（プルアウト操作）も行うことができる。従って、デザイン性とプルアウト機能とを両立することができる。棚部３０の下部に設けられた吐水部２０を引き出せるようにしつつ、高いデザイン性を得ることができる水栓装置１０を提供することができる。
【００５４】
使用者が吐水部２０を引き出すためには、収納部３４からの吐水部２０の突出量が大きい方が望ましい。しかしながら、吐水部２０の突出量が大きいと吐水部２０が目立ってしまい、デザイン性が損なわれてしまう。水栓装置１０では、吐水部２０の突出部２６の周囲の少なくとも一部において、収納部３４の下縁３４ｃを上方に凹ませる凹部３６を棚部３０の底面３２に設けることにより、突出部２６の底面３２からの突出量を抑えながらも、突出部２６の収納部３４の下縁３４ｃからの突出量を大きくすることができ、使用者に突出部２６を掴みやすくさせることができる。すなわち、吐水部２０を収納部３４から引き出し易くすることができる。
【００５５】
また、水栓装置１０では、収納部３４が、前方から見て前面３８と重なる位置まで凹むように設けられているため、吐水部２０のプルアウト操作を可能にするとともに、棚部３０の上下方向の厚みを薄くしつつ、棚部３０によって吐水部２０を覆うことができ、よりデザイン性を向上させることができる。
【００５６】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、水栓装置１０などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００５７】
１０ 水栓装置、  ２０ 吐水部、  ２２ 吐水口、  ２４ 保持部、  ２６ 突出部、  ３０ 棚部、  ３２ 底面、  ３４ 収納部、  ３６ 凹部、  ３８ 前面、  ４０ ホース、  ５０ 操作部、  １００ 洗面化粧台、  １０２ 洗面器、  １０６ 支持台、  １０８ ミラーキャビネット、  １１０ 照明装置、  １２２ ボウル部、  １２４ バックガード部、  １３０ キャビネット本体、  １３１〜１３３ 扉
【図１】
2019148091.tif 000003
【図２】
2019148091.tif 000004
【図３】
2019148091.tif 000005
【図４】
2019148091.tif 000006
【図５】
2019148091.tif 000007
【図６】
2019148091.tif 000008
【手続補正書】
【提出日】平成30年10月15日(2018.10.15)
【手続補正１】
【補正対象書類名】特許請求の範囲
【補正対象項目名】請求項１
【補正方法】変更
【補正の内容】
【請求項１】
ボウル部よりも上方に延びる壁面に設けられる水栓装置であって、
水を吐水する吐水口を有する吐水部と、
前記吐水部に前記水を供給する可撓性を有するホースと、
前記壁面から前方に突出するように設けられる棚部と、
を備え、
前記棚部は、下方を向く底面と、前記底面から上方に向かって凹み、前記吐水部を収納するための収納部と、を有し、
前記収納部は、少なくとも前方及び側方に壁部を有し、
前記吐水部は、前記収納部に収納された状態で前記壁面に保持されるとともに、前記収納部から引き出し可能であり、
前記棚部は、前記吐水部を、前記底面から上方に向かって凹んだ前記収納部によって上方から覆うことにより収納することを特徴とする水栓装置。
【手続補正２】
【補正対象書類名】明細書
【補正対象項目名】０００９
【補正方法】変更
【補正の内容】
【０００９】
第１の発明は、ボウル部よりも上方に延びる壁面に設けられる水栓装置であって、水を吐水する吐水口を有する吐水部と、前記吐水部に前記水を供給する可撓性を有するホースと、前記壁面から前方に突出するように設けられる棚部と、を備え、前記棚部は、下方を向く底面と、前記底面から上方に向かって凹み、前記吐水部を収納するための収納部と、を有し、前記収納部は、少なくとも前方及び側方に壁部を有し、前記吐水部は、前記収納部に収納された状態で前記壁面に保持されるとともに、前記収納部から引き出し可能であり、前記棚部は、前記吐水部を、前記底面から上方に向かって凹んだ前記収納部によって上方から覆うことにより収納することを特徴とする水栓装置である。